(57)【要約】【課題】増し張り断熱による改修において工期を短く、改修を簡易とすることができる断熱パネルを提供する。【解決手段】縁部に開口枠が配置された開口部６０が形成された建物の躯体４２〜４６と、建物の躯体４２〜４６の室内側に配置された断熱パネル５３〜５６と、開口枠の室内側に重ねて配置された重ね枠と、を備え、断熱パネル５３〜５６は、複数の枠材が組み合わされて枠状に形成された枠と、枠材により区画された枠内に配置された真空断熱材と、真空断熱材を枠内に保持する保持手段と、を有し、枠が建物の躯体４２〜４６に固定部材により固定されている。【選択図】図８
2014198998.tif 000002
【特許請求の範囲】
【請求項１】
縁部に開口枠が配置された開口部が形成された建物の躯体と、
前記建物の躯体の室内側に配置された断熱パネルと、
前記開口枠の室内側に重ねて配置された重ね枠と、を備え、
該断熱パネルは、複数の枠材が組み合わされて枠状に形成された枠と、
前記枠材により区画された枠内に配置された真空断熱材と、
前記真空断熱材を前記枠内に保持する保持手段と、を有し、
前記枠が前記建物の躯体に固定部材により固定されている、建物の室内側断熱構造。
【請求項２】
前記枠内には、前記真空断熱材が配置されていない部位に切断可能な他の断熱材も配置されている請求項１に記載の建物の室内側断熱構造。
【請求項３】
前記枠の外周面にはシール部材が配置されている請求項１又は２に記載の建物の室内側断熱構造。
【請求項４】
施工対象である室内側既存構造の情報を取得する工程と、
前記取得した情報に基づいて請求項１〜３のいずれか一項に記載の建物の室内側断熱構造の断熱パネルの割り付けを決める工程と、
前記決められた割り付けに基づいて前記断熱パネルを製造する工程と、
前記製造された前記断熱パネルを前記室内側既存構造に取り付ける工程と、を備える、室内側断熱構造の施工方法。
【請求項５】
施工対象である室内側既存構造のデータを受信する受信手段と、
受信した前記室内側既存構造のデータに基づいて、該室内側既存構造に基づく建物の躯体の位置に応じた寸法を表す寸法データを生成する手段と、
生成された前記寸法データに基づいて請求項１〜３のいずれか一項に記載の建物の室内側断熱構造の断熱パネルを配置対象となる位置に割り付ける演算をして割り付けデータを生成する手段と、
生成された前記断熱パネルの割り付け結果を出力する出力手段と、を有する、断熱パネルの割り付け装置。
【請求項６】
前記寸法データはさらに、前記室内側既存構造に備えられる内面設備の位置に応じた寸法を含む請求項５に記載の断熱パネルの割り付け装置。
【請求項７】
受信手段、及び演算手段を備える演算装置を用い、
施工対象である室内側既存構造のデータを受信し、
受信した前記室内側既存構造のデータに基づいて該室内側既存構造に基づく建物の躯体の位置に応じた寸法データを生成し、
生成された前記寸法データに基づいて請求項１〜３のいずれか一項に記載の建物の室内側断熱構造の断熱パネルを配置対象となる位置に割り付ける演算をして割り付けデータを生成することにより、前記断熱パネルの割り付け結果を得る、断熱パネルの割り付け方法。
【発明の詳細な説明】
【技術分野】
【０００１】
本発明は、建物の断熱性向上に寄与する建物の室内側断熱構造、室内側断熱構造の施工方法、断熱パネルの割り付け装置、及び断熱パネルの割り付け方法に関する。
【背景技術】
【０００２】
近年において省エネルギー化は分野を問わず重要な技術的要素として注目されており、住宅等の建物にも省エネルギー化を実現するための技術が期待されている。このような建物の省エネルギー化に対しては、開口部、天井、壁、床の断熱性を高めることが有効であり、これによって室内の冷暖房を効率的に行うことができる。
【０００３】
新築の建物では、該建物を建設する際に断熱性の高い開口部、断熱天井・屋根、断熱壁、断熱床を適用すればよいので、他の部位との調和を考慮した断熱構造が採用される。一方、既存の建物についても断熱天井、断熱壁、断熱床にすることで省エネルギー化が求められており、これはリフォームにより実現される。そしてリフォームにより既存の壁・床を断熱壁・断熱床にする際には、従来からいくつかの方法が提案されている。
【０００４】
例えば建物の外壁を除去し、断熱材等を施工して再度外壁を形成する方法がある。また、床については暗く、狭い床下空間に潜り、床に断熱材等を施工して形成する方法がある。しかしながら外壁に対するこのような方法では外壁を除去するために部分的な施工ができないとともに、外壁の施工のために足場を形成する必要であり大がかりになる。一方、床については建物の基礎が床下空間を区画しているため、建物によっては床下から施工できない箇所が発生する。
【０００５】
また、建物の内側から既存の壁・床を除去して断熱材等を施工し、その後再び内側の壁・床を形成する方法もある。この方法によれば足場を組む必要がなく、床下に潜る必要もないという観点では施工が簡易となる。しかしながらこの方法では室内側での解体が必要であり、ホコリや粉塵が飛散したり、騒音等が発生したりする。また、やはりある程度の工期を要する。
【０００６】
さらに、断熱壁、断熱床を形成するために、必要とされる各部材を室内側の既存の壁、床に取り付けて断熱壁、断熱床を形成する、いわゆる増し張り断熱がある。これは既存の壁、床に取り付けるのみであることから、上記した施工方法に比べて作業が簡易であるとともに、工期も短縮することができる。
【０００７】
ここで、増し張り断熱による断熱壁・断熱床を構成する場合、室内側の既存の壁、床に各部材を付加的に取り付けることから、できるだけ部屋を狭くしないように各部材、特に断熱材を薄くすることが好ましい。このような観点から断熱材として真空断熱材を用いることがよく、特許文献１には真空断熱材を用いた増し張り断熱壁を施工する方法が開示されている。ところが、真空断熱材は板状の芯材を外被材で減圧密封した断熱材であり、穴を開けたり、切断したりすると減圧状態を維持することができず、断熱性が著しく低下してしまう。また、その大きさも所定の大きさが数種類あるのみであり、建物の構造に合わせて自在に大きさを調整することができる性質のものではない。
【０００８】
これに対して特許文献１には、リフォームをする部屋の大きさによって予め真空断熱材の数を決めておき、これに基づいて真空断熱材を準備、施工する方法が記載されている。
【先行技術文献】
【特許文献】
【０００９】
【特許文献１】特開２０１０−２６１１５７号公報
【発明の概要】
【発明が解決しようとする課題】
【００１０】
しかしながら、特許文献１に記載の施工方法では、真空断熱材の使用数量に関して大きな無駄がでないものの、施工自体は真空断熱材やそれ以外の必要な部材（胴縁、内装材等）をそれぞれ施工現場で順次既存の内装材に取り付けていく必要があった。従って、施工現場での作業は少ないとはいえなかった。具体的には、既存建物の下地や仕上げの下地を意識、確認、採寸しながら各部材を順次配置する必要があり、隙間を無くす施工をするために現場で調整をおこなうので、施工者の経験も重要であった。
【００１１】
そこで本発明は上記の問題に鑑み、増し張り断熱による改修において工期を短く、改修を簡易とすることができる建物の室内側断熱構造、室内側断熱構造の施工方法、断熱パネルの割り付け装置、及び断熱パネルの割り付け方法を提供する。
本明細書中で「室内側断熱構造」は、「断熱壁構造」、「断熱床構造」、及び「断熱天井構造」を含む概念である。また「室内側既存構造」は断熱改修を行う前の既存の室内側構造を表し、既存壁構造、既存床構造、及び既存天井構造を意味する。
【課題を解決するための手段】
【００１２】
以下、本発明について説明する。なお、本発明の理解を容易にするために添付図面の参照符号を括弧書きにて付記するが、それにより本発明が図示の形態に限定されるものではない。
【００１３】
請求項１に記載の発明は、縁部に開口枠が配置された開口部（６０）が形成された建物の躯体（４２〜４６、５２）と、建物の躯体の室内側に配置された断熱パネル（５３〜５６）と、開口枠の室内側に重ねて配置された重ね枠と、を備え、断熱パネルは、複数の枠材（１３、１４、１５、１６、１７）が組み合わされて枠状に形成された枠（１２）と、枠材により区画された枠内に配置された真空断熱材（２０、２１）と、真空断熱材を枠内に保持する保持手段（１１、３０）と、を有し、枠が建物の躯体に固定部材（５８）により固定されている、建物の室内側断熱構造（４０）である。
ここで「建物の躯体」は、建物に備えられる構造上の要素を意味し、具体的には柱、間柱、梁、根太、既存内装材、既存床材、既存天井材等を含む概念である。また、「建物の室内側断熱構造」とは、「建物の断熱壁構造」、「建物の断熱床構造」、「建物の断熱天井構造」を含む概念である。
【００１４】
請求項２に記載の発明は、請求項１に建物の室内側断熱構造（４０）において、枠内には、真空断熱材（２０、２１）が配置されていない部位に切断可能な他の断熱材（２２、２３）も配置されている。
ここで「切断可能な他の断熱材」とは、真空断熱材のように切断することによりその断熱性が損なわれる断熱材でなく、切断をしても切断したこと自体によっては断熱性を損なわない断熱材を意味する。
【００１５】
請求項３に記載の発明は、請求項１又は２に記載の建物の室内側断熱構造（４０）において、枠（１２）の外周面にはシール部材（２５）が配置されている。
【００１６】
請求項４に記載の発明は、施工対象である室内側既存構造の情報を取得する工程（Ｓ１１０）と、取得した情報に基づいて請求項１〜３のいずれか一項に記載の建物の室内側断熱構造の断熱パネルの割り付けを決める工程（Ｓ１１１）と、決められた割り付けに基づいて断熱パネルを製造する工程（Ｓ１１２）と、製造された断熱パネルを室内側既存構造に取り付ける工程（Ｓ１１４）と、を備える、室内側断熱構造の施工方法（Ｓ１０１）である。
ここで、「室内側既存構造」とは、「既存壁構造」、「既存床構造」、及び「既存天井構造」を含む概念である。
【００１７】
請求項５に記載の発明は、施工対象である室内側既存構造のデータを受信する受信手段（１０３）と、受信した室内側既存構造のデータに基づいて、該室内側既存構造に基づく建物の躯体の位置に応じた寸法を表す寸法データを生成する手段（１０２）と、生成された寸法データに基づいて請求項１〜３のいずれか一項に記載の建物の室内側断熱構造の断熱パネルを配置対象となる位置に割り付ける演算をして割り付けデータを生成する手段（１０２）と、生成された断熱パネルの割り付け結果を出力する出力手段（１０６）と、を有する、断熱パネルの割り付け装置（１００）である。
【００１８】
請求項６に記載の発明は、請求項６に記載の断熱パネルの割り付け装置（１００）において、寸法データはさらに、室内側既存構造に備えられる内面設備の位置に応じた寸法を含む。
【００１９】
請求項７に記載の発明は、受信手段、及び演算手段を備える演算装置を用い、施工対象である室内側既存構造のデータを受信し（Ｓ２１０）、受信した室内側既存構造のデータに基づいて該室内側既存構造に基づく建物の躯体の位置に応じた寸法データを生成し（Ｓ２１１）、生成された寸法データに基づいて請求項１〜３のいずれか一項に記載の建物の室内側断熱構造の断熱パネルを配置対象となる位置に割り付ける演算をして割り付けデータを生成することにより、断熱パネルの割り付け結果を得る、断熱パネルの割り付け方法である。
【発明の効果】
【００２０】
本発明によれば、真空断熱材を用いた増し張り断熱改修に関し、その工期を短縮し、改修自体も簡易とすることが可能となる。
また、開口枠の室内側に重ね枠が重なるように配置されることにより、断熱性を向上させることができ、躯体の室内側に断熱パネルが配置されることにより、重ね枠および断熱パネルの室内側の面が概ね面一となり外観を向上させることができる。
【図面の簡単な説明】
【００２１】
【図１】１つの実施形態に係る断熱パネルの分解斜視図である。
【図２】図１の断熱パネルの正面図であり、一部を破断して示している。
【図３】図２にＩＩＩ−ＩＩＩで示した線に沿った断面図である。
【図４】１つの実施形態に係る「断熱パネルの製造方法」のフローを表す図である。
【図５】図５（ａ）、図５（ｂ）のいずれも断熱パネルの製造過程の一場面を表す図である。
【図６】図６（ａ）、図６（ｂ）のいずれも断熱パネルの製造過程の一場面を表す図である。
【図７】図７（ａ）、図７（ｂ）のいずれも断熱パネルの製造過程の一場面を表す図である。
【図８】図８（ａ）は１つの実施形態に係る「建物の室内側断熱構造」を正面視した図である。図８（ｂ）は図８（ａ）の一部を省略して内部の構造がわかるように表した図である。
【図９】図８（ａ）にＩＸ−ＩＸで示した線に沿った断面を表す図で、一部を分解して表している。
【図１０】１つの実施形態に係る「室内側断熱構造の施工方法」のフローを説明する図である。
【図１１】１つの実施形態に係る「断熱パネルの割り付け装置」の概要を説明するブロック図である。
【図１２】１つの実施形態に係る「断熱パネルの割り付け方法」を説明するフロー図である。
【発明を実施するための形態】
【００２２】
本発明の上記した作用及び利得は、次に説明する発明を実施するための形態から明らかにされる。以下、本発明を図面に示す実施形態に基づき説明する。
【００２３】
図１は１つの実施形態に係る断熱パネル１０を説明するための分解斜視図である。図２は断熱パネル１０の正面図であり、一部を破断して示している。また、図３は図２にIII−IIIで示した線に沿った断熱パネル１０の断面図である。ただし、図２、図３では見やすさのため、各部材の隙間や厚さ、大きさ等を変形、誇張して示している。従って実際にはこれら部材はできるだけ隙間がないように接して配置されている。また、各部材を固定するため、実際には各種の粘着テープ等が配置されているが、ここでは図示及び説明を省略する。粘着テープ等がどの部位に用いられるかの例については、断熱パネル１０の製造方法Ｓ１で説明する。
【００２４】
図１〜図３からわかるように、断熱パネル１０は、表面シート１１、３０、枠１２、真空断熱材２０、２１、断熱材２２、２３、及びシール部材２５を有している。以下に各部材について説明する。
【００２５】
表面シート１１、３０は、断熱パネル１０の表裏のそれぞれを構成するシート状の部材であり、真空断熱材２０、２１及び断熱材２２、２３を枠１２内に保持する保持手段として機能する。また、表面シート１１、３０は、当該機能の他、適用されるシートの材質により、気密・防湿層としての機能、断熱パネル１０の強度を向上させる機能、真空断熱材２０、２１及び断熱材２２、２３を保護する機能、断熱パネル１０の内部を隠蔽する機能等を具備させてもよい。
【００２６】
表面シート１１、３０の材質は必要とされる機能に応じて適宜選択することができる。その中でも上記した各種機能をバランスよく発揮する観点からはアルミライナー紙であることが好ましい。その他、気密・防湿層を形成することができる観点からはビニールシート等を挙げることができる。また気密・防湿を考慮しなければクラフト紙や不織布等を用いてもよい。
【００２７】
枠１２は断熱パネル１０の骨格を形成する部材であり、棒状の枠材である横枠材１３、１４と縦枠材１５、１６とが矩形枠状に組み合わされて形成されている。また、本実施形態では縦枠材１５と縦枠材１６との間に、該縦枠材１５、１６と平行に中間枠材１７が設けられている。これにより枠１２内に枠材により区画された２つの枠内空間ａ、ｂが形成されている。本実施形態では中間枠材１７により２つの枠内空間ａ、ｂを形成したが、枠内空間の数は特に限定されることなく、単数であってもよく、２以上の複数であってもよい。
【００２８】
枠１２は後述するように断熱パネル１０を建物に固定するための固定部材（ビス、釘、ネジ等）が貫通できる材質であることが好ましい。また、断熱パネル１０であるという性質上、枠１２もできるだけ断熱性が高いことが好ましい。かかる観点から、枠１２を構成する各枠材の材料は、樹脂又は木材であることが好ましい。木材としては例えば木、集成材、合板、ＬＶＬ、ＭＤＦ、ＯＳＢ等、樹脂としては例えばＰＳ、ＡＢＳ、ＰＶＣ等を挙げることができる。ただし、断熱性が高いという観点からは樹脂であることが好ましい。
【００２９】
また、枠１２では、横枠材１３、１４、縦枠材１５、１６及び中間枠材１７のうち、少なくとも２つは、断熱パネル１０が建物の室内側既存構造に取り付けられる姿勢で該建物の躯体（柱、間柱、梁、根太、既存内装材、既存床板、既存天井板等）が配置された位置に合うように構成されている。例えば２つの縦枠材１５、１６の間隔が、建物に設けられている２本の柱の間隔と概ね同じとなるように形成されていること等を挙げることができる。
これにより、後述するように断熱パネル１０を建物の室内側既存構造に取り付けるに際して枠１２に固定部材を貫通させて建物の躯体に固定させることができ、真空断熱材に固定部材を打ち込んでしまうことを防止することができる。
なお、枠１２の各枠材は後で説明するように、断熱パネル１０の製造時にその長さを調整することが容易なので、リフォームの対象となる建物の状況に応じて柔軟に枠１２を形成することができる。
【００３０】
一方、枠１２の厚さ（断熱パネル１０の厚さ方向大きさ、図２の紙面奥／手前方向）は、特に限定されることはないが、概ね真空断熱材２０、２１の厚さと同じであることが好ましい。これにより断熱パネル１０を薄く形成することができる。
【００３１】
真空断熱材２０、２１は、所定の厚さを有する板状の芯材を気密性を有する外被材で覆い、減圧密封したものである。ここには公知の真空断熱材を用いることができる。従って既に流通している市販の真空断熱材を用いることも可能であり、入手性の観点からも工期を短くすることが可能である。ここで、真空断熱材は、所定の大きさのものが数種類あるのみであり、建物の構造に合わせて自在に大きさを調整することができる性質のものではない。従って、複数の種類の真空断熱材を組み合わせる等して可能な限り多くの真空断熱材を枠１２の枠内に配置することにより断熱性を高めることができる。本実施形態では大きさの異なる２種類の真空断熱材２０、２１を配置している。真空断熱材２０、２１及び断熱材２２、２３の配置については後でさらに説明する。
【００３２】
真空断熱材は断熱性能が高いので、断熱パネルを薄く形成することができる。特に室内側への増し張り断熱に用いるときには部屋が狭くなることを最小限に抑えることが可能である。使用される真空断熱材の種類は特に限定されるものではく、芯材の種類やその他の形態に限られず公知の真空断熱材を用いることができる。
【００３３】
断熱材２２、２３は、真空断熱材２０、２１を配置することができなかった部位を埋めて断熱性を確保する機能を有する部材である。また、断熱パネル１０は建物の室内側既存構造に取り付けられることから、建物の室内側既存構造に備えられているコンセント、排気口、エアコン等のいわゆる内面設備を覆い隠してしまわないように、断熱パネル１０の一部には必要に応じて穴を設けなければならない。そこで、このような穴を開ける必要がある部位には断熱材２２、２３を配置することにより適切に穴を設けることができる。すなわち、断熱材２２、２３は、真空断熱材２０、２１の間隙を埋めるため、及び必要に応じて穴を設けることができるように、自在に切断できる断熱材であることが好ましい。
【００３４】
従って断熱材２２、２３は切断しても切断自体によっては断熱性能に大きく影響をしない断熱材が好ましい。断熱材の材質は上記のようなものであれば特に限定されることはなく、公知の断熱材を適用することができる。これには例えば発泡プラスチック系の断熱材を挙げることができる。
【００３５】
かかる観点から、表面シート１１には図１に１１ａ、１１ｂで示したように、枠１２が配置された部位（１１ａ）や実際に穴を開ける部位（１１ｂ）の表示をしてもよい。これにより真空断熱材を損傷することなく穴を開けるという作業の確実を図ることができる。
【００３６】
シール部材２５は、枠１２の外周端面に沿って配置される長尺の部材であり、断熱パネル１０に隣り合う他の部材と、該断熱パネル１０との間隙を埋めて気密・防湿を図る機能を有する。例えば建物に若干の傾きがあった場合でもシール部材２５によりこれが吸収され、適切に隣接する部材との接触が可能となる。
シール部材２５に用いられる材料は上記した機能の観点から柔軟性、弾性に富む材料が好ましく、いわゆるパッキン材を用いることができる。
【００３７】
以上のような構成部材を備える断熱パネル１０は、各部材が次のように組み合わされて構成されている。すなわち、枠材により区画されて枠１２に形成される枠内空間（図１にａ、ｂで示した空間）の内側に真空断熱材２０、２１、及び断熱材２２、２３が配置されている。そして枠１２、真空断熱材２０、２１、及び断熱材２２、２３の表裏のそれぞれに、該表裏を覆うように表面シート１１、３０が配置されている。さらに、枠１２の外周端面（枠１２の厚さを構成している面）に沿ってシール部材２５が設けられている。
【００３８】
このような断熱パネル１０によれば、真空断熱材２０、２１を含むことにより断熱性が高められて薄く形成できるとともに、建物に取り付けるための他の機能も具備されており、これを１枚のパネルとして取り扱うことができる。当該他の機能とは具体的には次のようなものを挙げることができる。すなわち、枠を設けてその枠内に真空断熱材を配置することにより、当該枠内に規定の大きさの複数の真空断熱材を効率良く配置することもでき、高い断熱効果が期待できる。また、断熱パネル１０を建物の躯体に取り付けるに際しては、枠に釘やビス等の固定部材を貫通させて固定することが可能なので、作業も容易であり、間違えて真空断熱材を損傷してしまうことを防止できる。また、枠はその大きさを建物の躯体に合わせることができるので、真空断熱材を含む当該断熱パネル１０を予め工場等で製造しておくこともでき、施工現場において、真空断熱材のみを順次取り付けるのではなく、寸法等が調整された断熱パネル１０を建物の室内側既存構造に順次取り付けて施工することが可能なる。
従来において、真空断熱材はその性質上、断熱性は高いものの、通常の断熱材に比べて取り扱いに困難があったが、断熱パネル１０によれば真空断熱材を効果的にかつ容易に取り扱うことができるので、増し張り断熱改修における工期の短縮及び改修の簡易化をすることができる。
【００３９】
次に断熱パネル１０を製造する方法の１つの実施形態である製造方法Ｓ１について説明する。図４には製造方法Ｓ１のフローを表した。また図５〜図７には、製造工程の一場面を説明する図を示した。
製造方法Ｓ１は、図４からわかるように、工程Ｓ１０〜工程Ｓ２１を有している。以下に各工程について説明する。
【００４０】
工程Ｓ１０は、枠材を切り出す工程である。すなわち、予め得ておいた施工対象となる建物の情報に基づいて横枠材、縦枠材、及び中間枠材を所望の長さで切り出す。
工程Ｓ１１は、工程Ｓ１０により切り出した枠材に固定材を取り付ける工程である。固定材は次の工程で枠材を表面シート３０に固定するための部材であり、例えば両面テープや粘着剤を挙げることができる。
工程Ｓ１２は、固定材を取り付けた枠材を一方の表面シートである表面シート３０の面に貼り付ける工程である。図５（ａ）には、工程Ｓ１２により表面シート３０に枠材が取り付けられた後の状態を示した。図５（ａ）からわかるように、各枠材は、表面シート３０に貼り付けられるに際し、横枠材１３、１４、縦枠材１５、１６、及び中間枠材１７となって枠状を形成するように組み合わされる。ここで、各枠材は、予め取得しておいた施工対象となる建物の情報に基づいて組み合わされるので、枠１２のうち、横枠材１３、１４、縦枠材１５、１６、及び中間枠材１７のうち少なくとも２つは建物の躯体に沿うように形成される。
【００４１】
工程Ｓ１３は、真空断熱材２０、２１に固定材を取り付ける工程である。固定材は次の工程で真空断熱材を表面シート３０に固定するための部材であり、例えば両面テープや粘着剤を挙げることができる。
工程Ｓ１４は、真空断熱材２０、２１を枠１２の枠内に配置する工程である。図５（ｂ）には、工程Ｓ１４により真空断熱材２０、２１が枠１２の枠内に配置された後の状態を示した。真空断熱材２０、２１は枠１２内に配置されるとともに、工程Ｓ１３により取り付けた固定材により表面シート３０に固定される。ここで、真空断熱材を配置する数量や位置は、既存の真空断熱材の大きさ、枠内の大きさ、形状、及び内面設備用の穴の位置等が考慮され、最も断熱性が高まるように決定されることが好ましい。
【００４２】
工程Ｓ１５は、断熱材２２、２３を切り出す工程である。この工程Ｓ１５では枠１２の枠内において真空断熱材２０、２１が配置されなかった部位の形状に合わせて断熱材を切り出す。
工程Ｓ１６は、断熱材２２、２３に固定材を取り付ける工程である。固定材は次の工程で断熱材２２、２３を表面シート３０に固定するための部材であり、例えば両面テープや粘着剤を挙げることができる。
工程Ｓ１７は、断熱材２２、２３を枠１２の枠内に配置する工程である。図６（ａ）には、工程Ｓ１７により断熱材２２、２３が枠１２の枠内に配置された後の状態を示した。断熱材２２、２３は枠１２の枠内に配置されるとともに、工程Ｓ１６により取り付けた固定材により表面シート３０に固定される。
【００４３】
工程Ｓ１８は、枠１２、真空断熱材２０、２１、断熱材２２、２３の面のうち、表面シート３０が配置された側とは反対側の面において、各部材の境界を渡すように固定材２６を配置する工程である。図６（ｂ）には、工程Ｓ１８により固定材２６が配置された後の状態を示した。図６（ｂ）からわかるように固定材２６により隣接する部材同士が連結される。固定材２６は、例えば両面テープや粘着剤を用いることができる。固定材２６に両面テープを用いれば後述する表面シート１１を貼り付けるための固定材としても機能する。工程Ｓ１８により、断熱パネル１０に備えられる各部材がさらに強固に固定され、断熱パネル１０の強度が向上する。
【００４４】
工程Ｓ１９は、他方の表面シートである表面シート１１を貼り付ける工程である。表面シート１１は、表面シート３０とは反対側の面を覆うように配置される。このとき、固定材２６が両面テープであれば当該固定材２６により表面シート１１が貼り付けられる。一方固定材２６が両面テープでなければ、表面シート１１に両面テープ等の固定材を取り付けることにより、表面シート１１を貼り付ける。
工程Ｓ２０は、表面シート１１、表面シート３０の少なくとも一方に枠１２の位置、及び穴が開けられるべき位置の少なくとも一方を表示する工程である。図７（ａ）には、工程Ｓ２０により当該表示がされた後の状態を示した。これにより、誤って真空断熱材２０、２１を損傷してしまうことを防止することができる。
【００４５】
工程Ｓ２１は、シール部材２５を配置する工程である。図７（ｂ）には、工程Ｓ２１によりシール部材２５を配置した後の状態を示した。当該図７（ｂ）からわかるように、枠１２の外周端面に沿ってシール部材２５が取り付けられる。
【００４６】
以上のような工程により断熱パネル１０を効率よく製造することができる。ただし、ここで説明した製造方法Ｓ１は例示であり、矛盾が生じない範囲で上記工程を一部省略したり、順序を変更したりすることは可能である。また、途中に他の工程が含まれていても良い。そしてこのような断熱パネルの製造方法Ｓ１によれば、現場加工を必要としない断熱パネルとして製造するため、現場で廃材が発生することを抑えることができる。また、真空断熱材を傷つけることなく施工できるようにパネル表面に誰でもわかるように表示を施すことも容易である。
【００４７】
次に、１つの実施形態に係る建物の室内側断熱構造４０について説明する。本実施形態は、建物の室内側断熱構造のうち、建物の断熱壁構造の例である。図８（ａ）には、建物の室内側断熱構造（以下、「断熱構造」と記載することがある。）４０を正面から見た図を示した。また図８（ｂ）は、図８（ａ）と同じ視点で仕上内装材５７を省略し、断熱パネル５３〜５６が表れるように示した図である。図８（ｂ）では柱４２、４４、４６、及び間柱４３、４５を破線で示している。さらに図９には図８（ａ）にＩＸ−ＩＸで示した線に沿った断面図を表した。図９では見易さのために断熱構造４０の一部を分解して示すとともに、分解して表していない部分においても間隙を大きく表している。従って実際にはこれら部材はできるだけ隙間がないように接して配置されている。図８（ａ）、図８（ｂ）は室内視、図９は紙面下が室内側、紙面上が室外側である。
図８（ａ）、図８（ｂ）、及び図９からわかるように、断熱構造４０は、壁部４１と開口部６０とを具備している。
【００４８】
壁部４１では、建物の躯体として鉛直方向に設けられた柱４２、４４、４６及び間柱４３、４５が具備されている。そして当該柱４２、４４、４６、及び間柱４３、４５の室内側面から覆い被さるように既存内装材５２が取り付けられている。また、壁部４１の一部には内面設備としてのコンセント５１が備えられている。
【００４９】
さらに既存内装材５２の室内側面には、断熱パネル５３〜５６が取り付けられている。ここで断熱パネル５３〜５６は、具体的な寸法や真空断熱材、断熱材の配置は異なるが、基本的に備えられる構成は上記した断熱パネル１０と同様である。例えば図９には、断熱パネル５３、５４のうち、表面シート５３ａ、５３ｂ、５４ａ、５４ｂ、縦枠材５３ｃ、５３ｄ、５４ｃ、５４ｄ、中間枠材５３ｅ、５４ｅ、真空断熱材５３ｆ、５４ｆ、及び断熱材５３ｇ、５４ｇが表れている。
【００５０】
本実施形態では図８（ｂ）、図９からわかるように各断熱パネル５３〜５６の縦枠材、中間枠材が建物の躯体である柱４２、４４、４６、又は間柱４３、４５のいずれかに沿うように配置されている。
また、コンセント５１が具備された位置に配置される断熱パネル５６は、当該コンセント５１の形態に合わせて穴が設けられている。この穴は、断熱パネル５６のうち、断熱材が配置された位置に設けられていることは上記した通りである。
【００５１】
断熱パネル５３〜５６の室内側には、当該断熱パネル５３〜５６を覆うように仕上内装材５７が配置される。仕上内装材５７は、断熱パネル５３〜５６を室内視から隠蔽するとともに、室内の内装面を形成する板状の部材である。当該内装面に壁紙等のいわゆるクロスを貼ることにより装飾することができる。仕上内装材は公知のものを用いればよい。
【００５２】
上記のように配置された断熱パネル５３〜５６、及び仕上内装材５７は、図９に表れた固定部材５８により建物の躯体に固定されている。本実施形態では、固定部材５８が、仕上内装材５７及び断熱パネル５３〜５６の縦枠材、又は中間部材を貫き、柱４２、４４、４６又は間柱４３、４５に達することにより当該固定が行われている。
ここで固定部材の種類は特に限定されることはなく、例えば釘やビス、ネジ等を挙げることができる。
ただし、断熱パネル及び仕上内装材の固定についてはこれに限定することなく、建物の状況に応じて適宜変更することができる。例えば仕上内装材は断熱パネルの枠にのみ固定するように構成してもよく、断熱パネルは建物の躯体としての既存内装材、間柱、柱にのみ固定される態様であってもよい。
【００５３】
以上のような壁部４１の構成により、断熱性が高められた室内側の断熱壁として機能する。また、このような壁部４１を具備する断熱構造４０によれば、上記したような効果を奏する真空断熱材を含む断熱パネル５３〜５６を容易に配置することが可能な構造となる。すなわち、断熱パネル５３〜５６を建物に取り付けるに際して、枠に釘やビス等の固定部材を貫通させて固定することが可能なので、作業も容易であり、間違えて真空断熱材を損傷してしまう虞を減らすことができる。上記したように、真空断熱材を含む当該断熱パネル５３〜５６は予め工場等で製造しておくこともでき、施工現場では直接真空断熱材のみを取り付けるのではなく、寸法等が調整された断熱パネル５３〜５６を建物の室内側既存構造（本実施形態は既存壁構造）に順次取り付けて施工することが可能になる。その結果、真空断熱材を効果的にかつ容易に取り扱うことができるので、真空断熱材を適用した増し張り断熱改修における工期の短縮及び改修の簡易化をすることが可能となる。
【００５４】
図８に戻って開口部６０について説明する。開口部６０は室内外を連通する部位であり、本実施形態ではここに引き戸式の窓６１が配置されている。開口部に備えられる他の物としては、例えば玄関扉やスイング式に開閉する窓等を挙げることができる。これらは総称して開口部装置と呼ばれることがあり、開口部には必要に応じた公知の開口部装置を適用することができる。
【００５５】
なお、断熱性の向上は開口部装置に対しても求められており、断熱性を向上させるために窓枠（開口枠）の室内側に樹脂製の枠（重ね枠）を重ねるように配置する態様が知られている。この場合、樹脂製の枠は既存の窓枠に室内側に突出して取り付けられるため、室内側に大きな凹凸が形成されてしまうことがある。このように樹脂枠が付加された窓が備えられた壁に、断熱構造４０を適用することにより、窓枠に具備された樹脂製の枠の室内側面と断熱構造４０の壁部４１の室内側面とが概ね面一となり、外観を向上させることができる。すなわち、本実施形態の断熱構造４０及び窓枠に付加的に配置させる樹脂製の枠の両者を採用することにより、壁と開口部装置（窓）とを総合的に断熱構造とし、併せて外観も良好なものとすることができる。
【００５６】
次に、１つの実施形態に係る室内側断熱構造の施工方法Ｓ１０１（以下、「施工方法Ｓ１０１」と記載することがある。）を説明する。本実施形態は、室内側断熱構造の施工方法のうち、断熱壁構造の施工方法の例である。図１０に説明のためのフロー図を示した。図１０からわかるように施工方法Ｓ１０１は、過程Ｓ１１０〜Ｓ１１６を含んでいる。以下に各過程について説明する。
【００５７】
過程Ｓ１１０は施工の対象となる建物の室内側既存構造（本実施形態では既存壁構造。）に関する情報を取得する過程である。過程Ｓ１１０では、施工対象となる室内側既存構造に配置されている開口部や、コンセント、エアコン等の内面設備の配置状況、及び柱、間柱、梁の位置に関する情報を取得する。ここで、情報を取得する手段は特に限定されることはなく、現場に赴いて直接情報を取得しても良いし、室内側既存構造の写真や図面により情報を取得してもよい。室内側既存構造が写真だけでわかり難いときには、一部の柱の位置情報を取得し、これに基本寸法（モジュール）を考慮して情報を得てもよい。
【００５８】
過程Ｓ１１１は、過程Ｓ１１０で取得した情報に基づいて断熱パネルの割り付けを決定する過程である。断熱パネルの割り付けは断熱性を高めることを第一とし、可能な限り真空断熱材の割合を多くすることが好ましい。
【００５９】
過程Ｓ１１２は、過程Ｓ１１１で決定された断熱パネルの割り付けに基づいて必要な断熱パネルを製造する過程である。当該断熱パネルの製造は施工現場で行う必要はなく、別途工場等で製造することができ、その製造方法は上記説明した通りである。
【００６０】
過程Ｓ１１３は、室内側既存構造に配置されている内面設備の取り外しをする過程である。より具体的には、施工対象となっている室内面に配置されているコンセント、エアコン、巾木等を一時的に取り外し、断熱パネルの施工をしやすくする過程である。
【００６１】
過程Ｓ１１４は、建物の既存内装材にかぶせるように過程Ｓ１１２で製造した断熱パネルを取り付ける過程である。断熱パネルは過程Ｓ１１０、過程Ｓ１１１で得た情報に基づいて製造されているので、室内側既存構造に対応するように構成されている。さらに、断熱パネルはここまで説明したように、その枠を柱、間柱、梁、既存内装材等の建物の躯体に固定部材で取り付けることができるように構成されている。従って、施工作業をする者は断熱パネルを機械的に所定の場所に配置して固定部材により断熱パネルを既存壁構造に取り付ければよい。
【００６２】
過程Ｓ１１５は、過程Ｓ１１４により断熱パネルを施工した後にその室内側に仕上内装材を被せるように配置する工程である。仕上内装材は釘やビス等により断熱パネルの枠、柱、間柱等に固定される。これによれば、柱、間柱等には断熱パネルのうち枠が配置されているので、仕上内装材をこのように固定しても真空断熱材を損傷してしまうことを防止することができる。仕上内装材の室内側面には壁紙等のいわゆるクロスを貼り付けてもよい。
【００６３】
過程Ｓ１１６は、過程Ｓ１１３で取り外しておいた内面設備を取り付ける過程である。
【００６４】
以上のような施工方法Ｓ１０１によれば、室内側既存構造に対して断熱パネルを順に取り付けていけばよく、従来のように胴縁や真空断熱材、その他の断熱材を個別に施工する必要がない。従って施工が容易であり、工期を大幅に短縮することができる。また、資材の持ち込み点数削減や作業領域の狭小化が可能なので建物の居住者（施主）は断熱改修時においても建物から退避する必要がなく、施主にとっても利便性がよい。
【００６５】
なお、説明した施工方法Ｓ１０１は例示であり、矛盾が生じない範囲で上記過程を一部省略したり、順序を変更したりすることは可能である。また、途中に他の過程が含まれていても良い。例えば当該施工に際して、窓枠の室内側に樹脂製の枠を重ねる断熱改修を併せておこなってもよい。これによれば、壁及び開口部装置を含めた総合的な断熱改修をすることができる。その際には、窓枠に取り付ける樹脂製の枠による室内側突出量を考慮して断熱パネル及び仕上内装材の室内側突出量を設計することも可能であり、これにより室内側壁面をさらに凹凸の少ないものにできる。
【００６６】
以上で示した建物の室内側断熱構造４０、及び室内側断熱構造の施工方法Ｓ１０１は、建物の室内側のうち、壁を対象としてものであるが、本発明はこれに限定されることはない。例えば建物の室内側のうち床や天井を対象としてもよい。その場合には、建物の室内側断熱構造は、断熱床構造や断熱天井構造である。また室内側断熱構造の施工方法は、断熱床構造の施工方法や断熱天井構造の施工方法となる。
断熱床構造の場合には、建物の躯体としては、上記柱、間柱の代わりに根太、既存内装材の代わりに既存床板がそれぞれ対応する。一方、断熱天井構造の場合には、建物の躯体としては、上記柱、間柱の代わりに根太、既存内装材の代わりに既存天井板がそれぞれ対応する。
【００６７】
次に、建物の室内側断熱構造を施工する過程のうち、施工対象である建物の室内側既存構造の情報取得（施工方法Ｓ１０１における過程Ｓ１１０に相当する。）、及び断熱パネルの割り付け（施工方法Ｓ１０１における過程Ｓ１１１に相当する。）に関し、１つの実施形態に係る断熱パネルの割り付け装置１００について説明する。断熱パネルの割り付け装置１００は、施工対象である建物の室内側既存構造の情報を取得するとともに、当該情報に基づいてどのように断熱パネルを配置するか（割り付けるか）を演算して出力する装置である。以下に詳しく説明する。図１１に断熱パネルの割り付け装置１００に含まれる構成を概念的にブロック図で示した。断熱パネルの割り付け装置１００（以下、「割り付け装置１００」と示すことがある。）は、演算装置１０１と、入力手段としての撮像手段１１０、外部記憶手段１１１と、表示手段１１２と、を有している。そして演算装置１０１は、演算手段１０２、受信手段１０３、記憶手段１０４、ＲＡＭ１０５、及び出力手段１０６を備えている。
【００６８】
演算手段１０２は、いわゆるＣＰＵ（中央演算子）により構成されており、上記した各構成部材に接続され、これらを制御することができる手段である。また、記憶媒体として機能する記憶手段１０４等に記憶された各種プログラムを実行し、これに基づいて後で説明する寸法・室内側既存構造、断熱パネルの割り付け、図面作成の演算をおこなうのも演算手段１０２である。どのような演算をおこなうかについては後で説明する。
【００６９】
受信手段１０３は、外部からの情報を演算装置１０１に適切に取り入れるための機能を有する構成部材であり、入力手段が接続される。いわゆる入力ポート、入力コネクタ等もこれに含まれる。
【００７０】
記憶手段１０４は、上記したような演算の根拠となる各種プログラムやデータベースが保存される記憶媒体として機能する構成部材である。また記憶手段１０４には、プログラムの実行により得られた中間、最終の各種結果を保存することができてもよい。
【００７１】
ＲＡＭ１０５は、演算手段１０２の作業領域や一時的なデータの記憶手段として機能する構成部材である。ＲＡＭ１０５は、ＳＲＡＭ、ＤＲＡＭ、フラッシュメモリ等で構成することができ、公知のＲＡＭと同様である。
【００７２】
出力手段１０６は、得られた結果のうち、外部に出力すべき情報を適切に外部に出力する機能を有する構成部材であり、表示手段１１２がここに接続される。いわゆる出力ポート、出力コネクタ等もこれに含まれる。
【００７３】
撮像手段１１０及び外部記憶手段１１１は入力手段として機能する構成部材である。ここには施工対象となる室内側既存構造の写真や図面データ等が記憶されている。撮像手段１１０はいわゆるデジタルカメラやモバイル端末機器等であり、室内側既存構造の写真データを生成するものである。外部記憶手段１１１は、写真や図面データ等が保存された部材であり、公知の装置を用いることができる。これには例えばＣＤ−ＲＯＭ及びＣＤ−ＲＯＭドライブ、ＤＶＤ及びＤＶＤドライブ、ハードディスク、各種メモリ等を挙げることができる。
【００７４】
このような割り付け装置１００によれば、これまで説明してきた断熱パネルを室内側既存構造に配置する位置を容易に速く得ることができ、室内側既存構造の情報を収集してから断熱パネルの製造を開始するまでの時間を大きく短縮することができる。すなわち、室内側断熱構造とするための増し張り断熱による改修の工期をさらに短くすることも可能となる。
【００７５】
次に、割り付け装置１００を用いた断熱パネルの割り付け方法Ｓ２０１について説明する。ここではわかりやすさのため、割り付け装置１００を用いた例を説明するが、これに限定されるものではなく、以下の趣旨を含む方法を可能とするものであれば他の装置によって割り付けがおこなわれてもてもよい。
【００７６】
断熱パネルの割り付け方法Ｓ２０１（以下、「割り付け方法Ｓ２０１」と記載することがある。）のフローを図１２に示した。割り付け方法Ｓ２０１は、過程Ｓ２１０〜過程Ｓ２１４を有して進められる。以下に各過程について説明する。
【００７７】
過程Ｓ２１０では、施工対象となる室内側既存構造の写真データ等の情報を割り付け装置１００に受信し、記憶する。具体的には撮像手段１１０や外部記憶手段１１１に保存されていた施工対象の室内側既存構造の写真等を、記憶手段１０４に記憶されていたプログラムで規定された手順に基づいて演算手段１０２が指令を出し、受信手段１０３に受信させ、記憶手段１０４に記憶させる。ここで、受信されるデータは少なくとも施工対象の室内側既存構造の写真又は図面を含む。さらに可能であれば柱や梁等の建物の躯体の位置を示すデータが含まれていてもよい。
【００７８】
過程Ｓ２１１では、取得された施工対象となる室内側既存構造の情報に基づいて室内側既存構造を演算し、具体的な数値データを生成する。すなわち、取得された室内側既存構造の情報から、記憶手段１０４に記憶されていたプログラムで規定された手順に基づいて、室内側既存構造に備えられる内面設備の位置、柱、間柱、梁の位置、開口部装置の位置等を具体的な寸法としてデータを生成する。具体的には得られた情報を座標で表すことにより、測定対象物の寸法及び位置情報をデータ化する。生成されたデータは記憶手段１０４、ＲＡＭ１０５に記憶される。
【００７９】
過程Ｓ２１２では過程Ｓ２１１により演算して得られた室内側既存構造の各データに基づいて、記憶手段１０４に記憶されたプログラムで規定された手順により演算手段１０２が、断熱パネルの割り付けを決定する。ここでいう断熱パネルはこれまで説明した上記実施形態に記載の断熱パネルである。断熱パネルの割り付けが決定されることにより、断熱パネルの大きさを決定することができるので、断熱パネルの製造が可能となる。このような割り付けは、例えば一般的な住宅の設計モジュールである９１０ｍｍ×９１０ｍｍを基本として開口部、隅部の割り付けを行い、残った箇所を断熱材により構成される調整用のパネルを挿入して割り付けること等を挙げることができる。
【００８０】
その後、過程２１２により得られた割り付け結果に基づいて図面データが作成され（過程Ｓ２１３）、画面や紙面上に出力される（過程Ｓ２１４）。
【００８１】
このようにして割り付けが決定された後は、例えば施工方法Ｓ１０１の過程Ｓ１１２以降の手順で断熱パネルの製造及びその施工を行ってもよい。その際には過程Ｓ２１３で作成された図面を用いれば施工の効率をさらに向上することが可能である。
【００８２】
以上のような割り付け方法Ｓ２０１によれば、断熱パネルを室内側既存構造に配置する位置を容易に速く得ることができ、室内側既存構造の情報を収集してから断熱パネルの製造を開始するまでの時間を大きく短縮することができる。すなわち、建物の室内側断熱構造とするための増し張り断熱改修の工期をさらに短くすることも可能となる。
【符号の説明】
【００８３】
１０ 断熱パネル
１１ 表面シート
１２ 枠
１３、１４ 横枠材
１５、１６ 縦枠材
１７ 中間枠材
２０、２１ 真空断熱材
２２、２３ 断熱材
２５ シール部材
３０ 表面シート
４０ 建物の室内側断熱構造
４１ 壁部
４２、４４、４６ 柱
４３、４５ 間柱
５２ 既存内装材
５３〜５６ 断熱パネル
５７ 仕上内装材
５８ 固定部材
１００  割り付け装置
１０１ 演算装置
１０２ 演算手段
１０３ 受信手段
１０４ 記憶手段
１０５ ＲＡＭ
１０６ 出力手段
１１０ 撮像手段
１１１ 外部記憶手段
１１２ 表示手段
【図１】
2014198998.tif 000003
【図２】
2014198998.tif 000004
【図３】
2014198998.tif 000005
【図４】
2014198998.tif 000006
【図５】
2014198998.tif 000007
【図６】
2014198998.tif 000008
【図７】
2014198998.tif 000009
【図８】
2014198998.tif 000010
【図９】
2014198998.tif 000011
【図１０】
2014198998.tif 000012
【図１１】
2014198998.tif 000013
【図１２】
2014198998.tif 000014